(57)【要約】【課題】待機状態ではエジェクト釦が前方に押し込まれた状態を保ち、不用意に後方に突出しない装置を提供する。【解決手段】シャーシ１に開設されたカム溝１０は、エジェクト釦７０の押込み状態から前進のみを許す第１カム部１１と、エジェクト釦７０の押込み状態と突出状態との間の移動を許す第２カム部１２を具える。スライド体７には、押出し板８に向けてバネ付勢され、記録媒体６のシャーシ１への装着時に、記録媒体６に押されて、記録媒体６の移行路から脱出する切換えレバー４が連繋している。切換えレバー４は、待機状態にて、第１カム部１１に連繋して、記録媒体６の移行路内に進入する。記録媒体６がシャーシ１に装着すると、切換えレバー４は記録媒体６の移行路から脱出し、エジェクト釦７０の最初の押圧操作にて、第２カム部１２に移動して、エジェクト釦７０の後方突出を許す。エジェクト釦７０の２度目の押圧操作にて、押出し板８とスライド体７を連動させる。【選択図】    図１
2004165071.tif 000002
【特許請求の範囲】
【請求項１】
投入物が着脱自在に装着されるシャーシ（１）上に、投入物の装着方向に沿って押圧操作されるエジェクト釦（７０）と、該エジェクト釦（７０）に取り付けられて投入物の排出方向に付勢されるスライド体（７）と、スライド体（７）に連繋して投入物をシャーシ（１）から排出する方向に押す押出し部材と、エジェクト釦（７０）の押圧操作毎に、エジェクト釦（７０）の押込み状態と突出状態を切り換えるカム機構とを具え、カム機構は待機状態にてエジェクト釦（７０）を押込み状態に保持し、投入物がシャーシ（１）に装着された状態にて、エジェクト釦（７０）を２度押圧操作することにより、押出し部材とスライド体（７）を連動させ、投入物を排出させる装置に於いて、
カム機構は、エジェクト釦（７０）の押込み状態から前進のみを許す第１カム部（１１）と、エジェクト釦（７０）の押込み状態と突出状態との間の移動を許す第２カム部（１２）を具え、
スライド体（７）及びカム機構には、押出し部材に向けてバネ付勢され、投入物のシャーシ（１）への装着時に、投入物に押されて、バネ付勢に抗して投入物の移行路から脱出するスイッチング機構（３）が連繋し、
スイッチング機構（３）は、待機状態にて、第１カム部（１１）に連繋して、投入物の移行路内に進入する第１の動作と、
投入物がシャーシ（１）に装着された際に、投入物の移行路から脱出し、エジェクト釦（７０）の最初の押圧操作にて、第２カム部（１２）に移動して、エジェクト釦（７０）の後方突出を許し、エジェクト釦（７０）の２度目の押圧操作にて、押出し部材とスライド体（７）の連動を許す第２の動作を行うことを特徴とする装置。
【請求項２】
投入物は記録媒体（６）であって、スライド体（７）上には、係りレバー（５）が枢支（７１）され、該係りレバー（５）はスイッチング機構（３）が記録媒体（６）の移行路から脱出した状態で、エジェクト釦（７０）の最初の押圧操作にて、スライド体（７）とともに記録媒体（６）の排出方向に移動する第１の動作と、エジェクト釦（７０）の２度目の押圧操作にて、押出し部材を記録媒体（６）の排出方向に駆動する第２の動作を行う請求項１に記載の装置。
【発明の詳細な説明】
【０００１】
【発明の属する技術分野】
本発明は、投入物、具体的には一端部にコネクタを具え電子回路を内包した記録媒体が着脱自在に装着される装置に関する。
【０００２】
【従来の技術】
図１６（ａ）、（ｂ）は、従来の装置を一部破断した平面図であり、（ａ）は装置に記録媒体が装着されていない待機状態を、（ｂ）は装置に記録媒体が装着された状態を夫々示す（例えば、特許文献１参照）。ＩＣカード等の記録媒体（６）は、一端部に第１コネクタ（６０）を具えている。以下の記載では、記録媒体を装置に挿入する方向を前方、記録媒体が装置から排出される方向を後方とする。
装置は、シャーシ（１）の両側から側板（１８）（１８）を立てて設け、シャーシ（１）の奥部には第１コネクタ（６０）に嵌まる第２コネクタ（６１）が設けられている。両コネクタ（６０）（６１）の嵌合構造は、周知である。
シャーシ（１）上にて、第２コネクタ（６１）の近傍には、押出しレバー（４５）が枢支（４７）され、該押出しレバー（４５）の右端部は側板（１８）の外側にて前後移動可能に設けられたスライド体（７）に繋がる。該スライド体（７）の後端部にエジェクト釦（７０）が設けられている。押出しレバー（４５）の左端部からはピン（４６）が下向きに突出している。
【０００３】
待機状態では、図１６（ａ）に示すように、エジェクト釦（７０）が押し込まれている。第１コネクタ（６０）を前方に向けて記録媒体（６）を側板（１８）（１８）間に挿入すると、記録媒体（６）の前端部が押出しレバー（４５）のピン（４６）を押し、押出しレバー（４５）を時計方向に回転させる。従って、スライド体（７）及びエジェクト釦（７０）が後方に突出する。記録媒体（６）の挿入完了状態で、両コネクタ（６０）（６１）が嵌合して、記録媒体（６）に信号が記録され、又は記録媒体（６）から信号が再生される。記録媒体（６）を排出するときは、エジェクト釦（７０）を指で前方に押し込む。押出しレバー（４５）が反時計方向に回動して、ピン（４６）が記録媒体（６）の前端部を後方に押す。記録媒体（６）が後方に押し出されて装置から排出される。
待機状態にて、エジェクト釦（７０）の突出量が大きいと、不注意で何かの拍子に使用者の手がエジェクト釦（７０）に当たったときに、記録媒体（６）が不用意に排出される。そこで、図１７に示すように、エジェクト釦（７０）を２つの釦半体（７０ａ）（７０ｂ）をヒンジ（７０ｃ）接続して構成し、後側の釦半体（７０ｂ）を前側の釦半体（７０ａ）に対して約９０度時計方向に回動可能にしたものがある。これにより、エジェクト釦（７０）の突出量を小さくしている。
【０００４】
図１７に示すエジェクト釦（７０）では、使用者が釦半体（７０ｂ）を回動させる動作を忘れると、使用者の手が誤ってエジェクト釦（７０）に当たったときに、記録媒体（６）が不用意に排出される虞れが依然として残る。また、使用者がわざわざエジェクト釦（７０）を折り畳む必要があり、面倒であるとともに、装置が低級品であるかの如き印象を与える。
そこで、図１９に示す動作をする装置が提案されている（例えば、特許文献２参照）。これは図１８に示すように、シャーシ（１）に記録媒体（６）を後方に蹴り出す押出しレバー（４５）（４５）を枢支（４７）（４７）するとともに、シャーシ（１）の側板（１８）に、スライド体（７）が嵌合するカム機構（図示せず）を設けている。記録媒体（６）が挿入されない待機状態ではエジェクト釦（７０）は前方に押し込まれた位置にある。記録媒体（６）が装置に装着されても、押込み位置を保持する。
この状態でエジェクト釦（７０）を前方に更に押し込むと、図１９に示すように、エジェクト釦（７０）が後方に突出するが、記録媒体（６）は装着状態を保つ。この後方に突出したエジェクト釦（７０）を再び前方に押し込むと、記録媒体（６）が装置から排出されるとともに、エジェクト釦（７０）が前方に押し込まれた状態を保つ。即ち、エジェクト釦（７０）が前方に押し込まれた状態から、装置に挿入された記録媒体（６）を排出させるには、エジェクト釦（７０）を２度押す必要があり、装置に記録媒体（６）が挿入された状態で、使用者の手がエジェクト釦（７０）に不用意に当たっても、記録媒体（６）は排出されない。
待機状態にて記録媒体（６）を挿入せずに、エジェクト釦（７０）を押し込むと、エジェクト釦（７０）は前方に押し込まれた状態を保つ。この状態で、記録媒体（６）を装置内に挿入できる。再度エジェクト釦（７０）を押すと、エジェクト釦（７０）は後方に突出する。
【０００５】
【特許文献１】
特開平１０−５０４０６号公報（明細書
【００１０】）
【０００６】
【特許文献２】
特開平１１−５４２０８号公報（明細書
【００１８】〜
【００２１】）
【０００７】
【発明が解決しようとする課題】
図１９に示す動作を行う装置は、待機状態に於いては、エジェクト釦（７０）が押し込まれた状態から、後方に突出することがある。従って、エジェクト釦（７０）が後方に突出した状態で、記録媒体（６）を装置に挿入すれば、その後もう１回エジェクト釦（７０）を押し込むと、記録媒体（６）が装置から排出される。従って、エジェクト釦（７０）が後方に押し出された状態で、やはり使用者の手が誤ってエジェクト釦（７０）に当たると、記録媒体（６）が装置から不用意に排出される虞れを残している。即ち、記録媒体（６）が装置に挿入されていないときに、エジェクト釦（７０）が後方に突出することが可能であるから、このような虞れが生じる。
本発明の目的は、待機状態ではエジェクト釦（７０）が前方に押し込まれた状態を保ち、不用意に後方に突出しない装置を提供することにある。
【０００８】
【課題を解決する為の手段】
カム機構は、エジェクト釦（７０）の押込み状態から前進のみを許す第１カム部（１１）と、エジェクト釦（７０）の押込み状態と突出状態との間の移動を許す第２カム部（１２）を具えている。
スライド体（７）及びカム機構には、押出し部材に向けてバネ付勢され、投入物である記録媒体（６）のシャーシ（１）への装着時に、記録媒体（６）に押されて、バネ付勢に抗して記録媒体（６）の移行路から脱出するスイッチング機構（３）が連繋している。
スイッチング機構（３）は、待機状態にて、第１カム部（１１）に連繋して、記録媒体（６）の移行路内に進入する第１の動作と、
記録媒体（６）がシャーシ（１）に装着された場合に、記録媒体（６）の移行路から脱出し、エジェクト釦（７０）の最初の押圧操作にて、第２カム部（１２）に移動して、エジェクト釦（７０）の後方突出を許し、エジェクト釦（７０）の２度目の押圧操作にて、押出し部材とスライド体（７）の連動を許す第２の動作を行う。
【０００９】
【作用及び効果】
記録媒体が挿入されないとき
スイッチング機構（３）は、記録媒体（６）の移行路内に進入するとともに、第１カム部（１１）に連繋している。第１カム部（１１）では、エジェクト釦（７０）の押込み状態から前進のみが許されるから、エジェクト釦（７０）は後方に突出しない。
記録媒体が挿入されるとき
スイッチング機構（３）は、記録媒体（６）に押されて記録媒体（６）の移行路から脱出する。エジェクト釦（７０）の最初の押圧操作にて、スイッチング機構（３）は、第２カム部（１２）に移動して、後方にバネ付勢されたスライド体（７）によってエジェクト釦（７０）は後方に突出する。エジェクト釦（７０）の２度目の押圧操作にて、押出し部材とスライド体（７）が連動する。
本発明に係わる装置では、記録媒体（６）が挿入されない待機状態ではエジェクト釦（７０）が前方に押し込まれた状態を保ち、不用意に後方に突出しない。これにより、従来のように、エジェクト釦（７０）が突出した状態で、記録媒体（６）が挿入される虞れはなく、記録媒体（６）が装置から不用意に排出されない。
【００１０】
【発明の実施の形態】
以下、本発明の一例を図を用いて詳述する。
図１は、本例に関わる装置の分解斜視図であり、図２乃至図５は、本例に関わる装置の組立図である。本例に係わる装置の動作は、図１５に示され、記録媒体（６）を装置に挿入した状態では、図１８に示す従来の装置と変わらない。
図２に示すように、待機状態では、エジェクト釦（７０）は前方に押し込まれている。図３に示すように、記録媒体（６）を装置に挿入しても、エジェクト釦（７０）は押込み状態を保つ。図４に示すように、エジェクト釦（７０）を１回押すと、エジェクト釦（７０）は後方に押し出され、図５に示すように、更にエジェクト釦（７０）を押す、即ちエジェクト釦（７０）を２度押すと、記録媒体（６）が排出される。本例は、後記の如く、記録媒体（６）を装置に挿入しない待機状態にて、エジェクト釦（７０）を押したときの動作に、従来との差がある。
【００１１】
本例にあっては、記録媒体（６）として、ｉＶＤＲと呼ばれる映像、音声を記録できるカード型の媒体を例示する。これは、図１に示すように、前端部に第１コネクタ（６０）を具えており、シャーシ（１）に装着された状態で、シャーシ（１）の奥部に設けられた第２コネクタ（図示せず）に嵌合する。
図１は、本例に関わる装置の分解斜視図である。シャーシ（１）上には、後端面が開口して記録媒体（６）が挿入されるホルダ（２）が取り付けられる。ホルダ（２）の天面には、記録媒体（６）のホルダ（２）内の有無を確認するための大開口（２５）が開設されている。ホルダ（２）の前端部上には、押出し板（８）が前後移動可能に設けられ、該押出し板（８）は前端部から突板（８２）を下向きに延ばしている。該突板（８２）はホルダ（２）の右隅部に開設された切欠き（２４）を通って記録媒体（６）の前端部に接する。ホルダ（２）上に設けられた回動中心軸（２３）には、駆動レバー（８０）の中央部が嵌まり、該駆動レバー（８０）の左端部に開設された長孔（８１）は、押出し板（８）上に設けられた突起（８３）に嵌まる。これにより、駆動レバー（８０）が回動すると、押出し板（８）が前後にスライドする。
【００１２】
ホルダ（２）の右端部には、中間スライド板（２０）が前後移動可能に設けられ、前記駆動レバー（８０）の右端部に開設された長孔（８１ａ）は、中間スライド板（２０）の前端部に設けられた突起（２２）に嵌まる。中間スライド板（２０）からは係り片（２１）が下向きに延びている。
シャーシ（１）の右端部は、受け面（１５）を形成し、該受け面（１５）の前端部にカム溝（１０）を開設しており、受け面（１５）の右端部からバネ掛け（１６）が突出している。受け面（１５）上には、スライド体（７）が、前後移動可能に設けられ、該スライド体（７）の前端部から第１枢軸（７１）が突出し、後端部にエジェクト釦（７０）が取り付けられる。スライド体（７）に設けられたフック（７３）と、シャーシ（１）のバネ掛け（１６）との間に、引張りバネ（７２）が架けられて、スライド体（７）は後方に付勢される。スライド体（７）の第１枢軸（７１）には、係りレバー（５）、中間レバー（３０）及び該中間レバー（３０）を反時計方向に付勢するネジリバネ（図示せず）が嵌まる。中間レバー（３０）の前端部には第２枢軸（３１）が設けられ、該第２枢軸（３１）に切換えレバー（４）が嵌まる。中間レバー（３０）上には金属板を折曲して形成された板バネ体（９）が被さる。
【００１３】
図６は、シャーシ（１）上のカム溝（１０）の平面図である。カム溝（１０）は前後に延びた第１縦溝（１１ａ）と、該第１縦溝（１１ａ）の前端から、右向きに延びた横溝（１２ａ）と、該横溝（１２ａ）の右端から後方右向きに延びた傾斜溝（１２ｂ）と、該傾斜溝（１２ｂ）の後端から後方に延びた第２縦溝（１２ｃ）を具え、該第２縦溝（１２ｃ）の後端は、第１縦溝（１１ａ）の後端よりも後方に位置する。後記の如く、第１縦溝（１１ａ）はエジェクト釦（７０）の押込み状態から前進のみを許す第１カム部（１１）を、横溝（１２ａ）、傾斜溝（１２ｂ）、第２縦溝（１２ｃ）にてエジェクト釦（７０）の押込み状態と突出状態との間の移動を許す第２カム部（１２）を構成する。
図７は、係りレバー（５）の平面図である。係りレバー（５）は金属板を折曲して形成され、後記するように、中間スライド板（２０）の係り片（２１）に引掛かる爪片（５０）を具えている。爪片（５０）の後方には、受け片（５１）が設けられ、該受け片（５１）の内面に板バネ体（９）の後端部が接する。
図８は、中間レバー（３０）の斜視図である。中間レバー（３０）は、合成樹脂製であって、平板（３３）上に前記第２枢軸（３１）の他に、板バネ体（９）用の位置決め突起（３４）及びスライド体（７）の第１枢軸（７１）に嵌まる嵌め筒（３５）が設けられている。第２枢軸（３１）の左方には、切換えレバー（４）が反時計方向に回動しすぎることを防ぐストッパ（３６）が設けられている。嵌め筒（３５）の側方には、平板（３３）上に壁板（３７）（３７）が設けられている。平板（３３）の下面前端部からは、シャーシ（１）のカム溝（１０）に嵌まる突軸であるカムフォロア（３２）が突出している。
【００１４】
図９は、板バネ体（９）の斜視図である。板バネ体（９）は、中間レバー（３０）が第１枢軸（７１）に嵌まり、中間レバー（３０）の第２枢軸（３１）に切換えレバー（４）が嵌まってから、中間レバー（３０）上に取り付けられる。板バネ体（９）は、水平板（９３）の両側から嵌め板（９４）及び付勢板（９０）を下向きに突出し、付勢板（９０）の前端部は切換えレバー（４）を反時計方向に付勢する第１付勢部（９１）を、付勢板（９０）の後端部は係りレバー（５）を時計方向に付勢する第２付勢部（９２）を夫々形成している。第２付勢部（９２）の先端部は、係りレバー（５）の受け片（５１）の内側に接し、板バネ体（９）が反時計方向に回動すれば、係りレバー（５）も反時計方向に回動する。
後記の理由から、第１付勢部（９１）が切換えレバー（４）を付勢する力は、第１枢軸（７１）に嵌められたネジリバネが、中間レバー（３０）を反時計方向に付勢する力よりも大きく設定されている。嵌め板（９４）及び付勢板（９０）の長手方向の中央部が、中間レバー（３０）の壁板（３７）（３７）の内側に嵌まって、板バネ体（９）は中間レバー（３０）に取り付けられる。
【００１５】
記録媒体を挿入するとき
（挿入時）
図１０乃至図１４は、待機状態から記録媒体（６）を装置に挿入し、排出する際に於ける、各構成部品の動作を示す平面図である。図示の便宜上、各構成部品は動作に必要な箇所のみを図示する。また、ホルダ（２）の大開口（２５）を図示しない。
図２及び図１０（ａ）、（ｂ）は、待機状態を示している。押出し板（８）は後退しており、突板（８２）がホルダ（２）の切欠き（２４）の後端縁に接している。切換えレバー（４）は、板バネ体（９）に押されて、中間レバー（３０）のストッパ（３６）に接し、先端部が記録媒体（６）及び押出し板（８）の移行路内に進入している。この状態で、中間レバー（３０）のカムフォロア（３２）は、カム溝（１０）の第１縦溝（１１ａ）の後端部に位置している。また、図２に示すように、エジェクト釦（７０）は前方に押し込まれた位置にある。即ち、カムフォロア（３２）が、カム溝（１０）の第１縦溝（１１ａ）に嵌まっていると、エジェクト釦（７０）は前方に押し込まれた位置から、前進のみが許される。
後記するように、切換えレバー（４）と中間レバー（３０）は、スイッチング機構（３）を構成する。該スイッチング機構（３）は、記録媒体（６）がホルダ（２）内に無い場合は、エジェクト釦（７０）の押圧操作に拘わらず、押込み状態を保つ第１の動作を行う。スイッチング機構（３）は、また記録媒体（６）がホルダ（２）内にある場合は、エジェクト釦（７０）の押圧操作により、押込み状態と突出状態を切り換える第２の動作を行う。
【００１６】
待機状態から記録媒体（６）をホルダ（２）に挿入すると、図３及び図１１に示すように、記録媒体（６）の前端面が押出し板（８）を前方に押す。駆動レバー（８０）が回動中心軸（２３）を中心に時計方向に回動し、中間スライド板（２０）が後退する。
記録媒体（６）の側面は、切換えレバー（４）の先端部を押し、該切換えレバー（４）は、板バネ体（９）に抗して第２枢軸（３１）を中心に時計方向に回動する。中間レバー（３０）及び係りレバー（５）は前後移動せず、カムフォロア（３２）は図１０（ｂ）に示す位置から移動しないから、中間レバー（３０）は回動を規制される。
エジェクト釦（７０）は前方に押し込まれた位置のままであり、記録媒体（６）の第１コネクタ（６０）（図１参照）がシャーシ（１）上の第２コネクタに嵌合して、シャーシ（１）に装着される。この状態で、記録媒体（６）に信号の記録ができ、又は記録媒体（６）から信号が再生できる。
【００１７】
（排出時）
信号の記録又は再生が終了し、記録媒体（６）を装置から排出するには、先ず押し込まれたエジェクト釦（７０）を、引張りバネ（７２）に抗して更に押し込む。図１２（ａ）に示すように、スライド体（７）が前進し、切換えレバー（４）、中間レバー（３０）及び係りレバー（５）が前進する。中間レバー（３０）のカムフォロア（３２）は横溝（１２ａ）の左端に達し、右向きの移動が許される。切換えレバー（４）は、前記の如く、記録媒体（６）の側面に接して右向きに押されている。切換えレバー（４）は板バネ体（９）に抗して押されており、前記の如く、板バネ体（９）が切換えレバー（４）を付勢する力は中間レバー（３０）を反時計方向に付勢するネジリバネの力よりも大きいから、中間レバー（３０）も右向き、即ち時計方向に回動する。図１２（ｂ）に示すように、カムフォロア（３２）は横溝（１２ａ）の右端部に達する。
【００１８】
スライド体（７）は引張りバネ（７２）により後方に付勢されているから、図１３（ｂ）に示すように、カムフォロア（３２）は、傾斜溝（１２ｂ）を通過して、第２縦溝（１２ｃ）の後端に達する。第２縦溝（１２ｃ）の後端は、第１縦溝（１１ａ）の後端よりも、後方に位置しているから、図１３（ａ）に示すように、スライド体（７）が後退し、切換えレバー（４）、中間レバー（３０）、係りレバー（５）も後退する。エジェクト釦（７０）は、後方に突出する（図４参照）。
図１３（ａ）に示すカム溝（１０）の第２縦溝（１２ｃ）は、第１縦溝（１１ａ）よりも右方に位置しているから、切換えレバー（４）、中間レバー（３０）、係りレバー（５）は待機状態よりも時計方向に回動した状態となる。係りレバー（５）は板バネ体（９）の第２付勢部（９２）に押されて、時計方向に回動し、係りレバー（５）の爪片（５０）は、中間スライド板（２０）の係り片（２１）の後方に位置する。
【００１９】
使用者はエジェクト釦（７０）が後方に突出した状態から、再びエジェクト釦（７０）を押し込む。図１４に示すように、スライド体（７）の前進により、係りレバー（５）の爪片（５０）は、中間スライド板（２０）の係り片（２１）に引掛って、中間スライド板（２０）を前進させる。駆動レバー（８０）が反時計方向に回動して、押出し板（８）を後退させる。記録媒体（６）は、押出し板（８）に押し出されて、図５に示す如く、後端部がホルダ（２）から突出し、使用者は該記録媒体（６）の後端部を掴んでホルダ（２）から引き抜くことができる。駆動レバー（８０）及び押出し板（８）は、図１０（ａ）に示す状態に戻る。
記録媒体（６）が引き抜かれるから、切換えレバー（４）は記録媒体（６）の移行路内に進入することが許される。スライド体（７）の前進により、カムフォロア（３２）は第２縦溝（１２ｃ）の後端から前進して、傾斜溝（１２ｂ）、横溝（１２ａ）を通って、第１縦溝（１１ａ）に達する。中間レバー（３０）はネジリバネにより反時計方向に付勢されているから、図１０（ａ）に示す状態に戻り、中間レバー（３０）に取り付けられた板バネ体（９）も図１４に示す状態から反時計方向に回動する。板バネ体（９）は第２付勢部（９２）の先端部が、受け片（５１）の内側に接しているから、係りレバー（５）は板バネ体（９）とともに反時計方向に回動する。
スライド体（７）が引張りバネ（７２）に付勢されているから、カムフォロア（３２）は、図１０（ａ）に示すように、カム溝（１０）の第１縦溝（１１ａ）の後端に位置する。エジェクト釦（７０）は図２に示すように、前方に押し込まれた状態となる。
【００２０】
記録媒体を挿入しないとき
図１０に示す待機状態にて、記録媒体（６）を挿入せずにエジェクト釦（７０）を前方に押しても、記録媒体（６）が切換えレバー（４）を側方に押すことはないから、板バネ体（９）によって、切換えレバー（４）の先端部が記録媒体（６）の移行路に進入した状態を保つ。中間レバー（３０）のカムフォロア（３２）は、横溝（１２ａ）に移動できず、エジェクト釦（７０）を前方に押しても、カムフォロア（３２）は第１縦溝（１１ａ）内を前方に移動するだけである。カムフォロア（３２）が第１縦溝（１１ａ）の後端に接した位置が、エジェクト釦（７０）は押込み状態であるから、エジェクト釦（７０）は押込み状態を保つ（図１５参照）。
本例に係わる装置では、待機状態ではエジェクト釦（７０）が前方に押し込まれた状態を保ち、不用意に後方に突出しない。これにより、従来のように、エジェクト釦（７０）が突出した状態で、記録媒体（６）が挿入される虞れはない。
また、ホルダ（２）に記録媒体（６）が挿入された状態では、エジェクト釦（７０）を２度押圧操作しなければ、記録媒体（６）を排出できない。この点でも、使用者が不用意に記録媒体（６）を排出する虞れを防止できる。
【００２１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例にあっては、投入物として記録媒体（６）を例示し、記録媒体（６）として、ｉＶＤＲを例示したが、フロッピィディスク、ＩＣカード及びメモリカードでもよい。また、投入物はチューナユニットでもよい。また、駆動レバー（８０）にて直接記録媒体（６）を排出してもよい（図示せず）。更に、中間レバー（３０）、係りレバー（５）の材質は、実施例に記載されたものに限定されない。
【図面の簡単な説明】
【図１】装置の分解斜視図である。
【図２】装置の斜視図であり、待機状態を示す。
【図３】装置の斜視図であり、記録媒体を装着した状態を示す。
【図４】装置の斜視図であり、記録媒体を装着してから、エジェクト釦を押し込んだ状態を示す。
【図５】装置の組立図であり、記録媒体を装着してから、エジェクト釦を２度目に押し込んだ状態を示す。
【図６】カム溝の平面図である。
【図７】係りレバーの平面図である。
【図８】中間レバーの斜視図である。
【図９】板バネ体の斜視図である。
【図１０】（ａ）は待機状態の各構成部品を示す平面図であり、（ｂ）はカム溝とカムフォロアの位置関係を示す平面図である。
【図１１】記録媒体が挿入された際の各構成部品を示す平面図である。
【図１２】（ａ）はエジェクト釦が１度押し込まれた状態の各構成部品を示す平面図であり、（ｂ）はカム溝とカムフォロアの位置関係を示す平面図である。
【図１３】（ａ）はエジェクト釦が後方に突出した状態の各構成部品を示す平面図であり、（ｂ）はカム溝とカムフォロアの位置関係を示す平面図である。
【図１４】エジェクト釦を２度押し込んだ際の各構成部品を示す平面図である。
【図１５】本発明の装置の動作を示す図である。
【図１６】従来の装置を一部破断した平面図であり、（ａ）は装置に記録媒体が装着されていない待機状態を、（ｂ）は装置に記録媒体が装着された状態を夫々示す。
【図１７】２つの釦半体をヒンジ接続したエジェクト釦の平面図である。
【図１８】従来の別の装置の平面図である。
【図１９】図１８の装置の動作を示す図である。
【符号の説明】
（１）    シャーシ
（３）    スイッチング機構
（５）    係りレバー
（６）    記録媒体
（７）    スライド体
（１１）    第１カム部
（１２）    第２カム部
（７０）    エジェクト釦
【図１】
2004165071.tif 000003
【図２】
2004165071.tif 000004
【図３】
2004165071.tif 000005
【図４】
2004165071.tif 000006
【図５】
2004165071.tif 000007
【図６】
2004165071.tif 000008
【図７】
2004165071.tif 000009
【図８】
2004165071.tif 000010
【図９】
2004165071.tif 000011
【図１０】
2004165071.tif 000012
【図１１】
2004165071.tif 000013
【図１２】
2004165071.tif 000014
【図１３】
2004165071.tif 000015
【図１４】
2004165071.tif 000016
【図１５】
2004165071.tif 000017
【図１６】
2004165071.tif 000018
【図１７】
2004165071.tif 000019
【図１８】
2004165071.tif 000020
【図１９】
2004165071.tif 000021